(57)【特許請求の範囲】
【請求項１】
後部に作業者が把持するグリップを有した外殻ハウジングと、
前記外殻ハウジングの内部に設けた電動モータと、
同電動モータの作動により前記外殻ハウジングの下部に設けたクランク機構を介して相対的に往復動する一対のシャーブレードと、
前記電動モータの作動により回転して前記外殻ハウジングの外部から吸引した空気を同外殻ハウジングの下部から流出させる冷却ファンと、
前記外殻ハウジング内に組み付けられ、前記電動モータとともに前記冷却ファンと前記クランク機構を内蔵したモータハウジングとを備え、
前記モータハウジングには前記冷却ファンによって空気を導入する吸気口と空気を排出する排気口とを設け、前記排気口を前記外殻ハウジングの周壁との間に隙間を設けた状態で覆うようにした園芸用バリカンであって、
前記外殻ハウジングの周壁の下端部には、下側に排気の通路が遮られることなく下方に開口する開口部を形成して、
前記冷却ファンの作動によって前記排気口から排出される空気が前記外殻ハウジングの周壁内面に当たって風向きが変えられ、前記外殻ハウジングの周壁と前記モータハウジングの周壁との間を通って前記開口部から下側に排気の通路が遮られることなく下向きに流出するようにしたことを特徴とする園芸用バリカン。
【発明の詳細な説明】
【技術分野】
【０００１】
本発明は、ヘッジトリマ、芝刈バリカン等の園芸用バリカンに関する。
【背景技術】
【０００２】
特許文献１及び２には、この種の園芸用バリカンであるヘッジトリマが開示されている。特許文献１のヘッジトリマは、外殻ハウジングの内部に直立して設けた電動モータと、電動モータの作動により回転して外殻ハウジングの下部に設けたクランク機構を介して相対的に往復動する一対のシャーブレードと、電動モータの作動により回転して外殻ハウジングの周壁上部の吸気口から吸引した空気を同外殻ハウジングの周壁下部にて側方に開口する排気口から流出させる冷却ファンとを備えている。
【０００３】
特許文献１のヘッジトリマにおいて、電動モータの作動によってシャーブレードの往復動とともに冷却ファンを回転させたときには、外殻ハウジングの周壁下部の排気口から側方に流出する排気が作業者に当たって不快感を与えていた。また、排気口から流出する排気の風切り音とともに、電動モータによりクランク機構を介してシャーブレードを往復動させる駆動音が作業者に伝わり、これによっても作業者に不快感を与えていた。
【０００４】
特許文献２のヘッジトリマは、モータハウジングの内部に直立して設けた電動モータと、電動モータの作動によりモータハウジングの下部に設けたクランク機構を介して相対的に往復動する一対のシャーブレードと、電動モータの作動により回転してモータハウジングの周壁上部の吸気口から吸引した空気を同モータハウジングの周壁下部の排気口から排出させる冷却ファンと、モータハウジングの吸気口と排気口とを覆う外殻ハウジングとを備えている。
【０００５】
このヘッジトリマにおいて、電動モータの作動によってシャーブレードの往復動とともに冷却ファンを回転させたときには、モータハウジングの下部の排気口から排出する排気は外殻ハウジングの周壁下部とモータハウジングの周壁下部との間を通って外殻ハウジングの下端開口部から流出する。モータハウジングの排気口から排出する排気は外殻ハウジングの下端開口部から流出するので、排気が作業者に直接当たるのを抑えることができる。しかし、モータハウジングの周壁下端部が外殻ハウジングの下端開口部の下側に突出しているので、外殻ハウジングの下端開口部から流出した排気がモータハウジングの突出した周壁下端部に当たって斜め側方に流出していた。そのために、特許文献２のヘッジトリマにおいても下端開口部から流出する排気の風切り音と、電動モータによりシャーブレードを往復動させる駆動音とを十分に低減させることができなかった。
【先行技術文献】
【特許文献】
【０００６】
【特許文献１】特開２００７−０７５９１７号公報
【特許文献２】特開２０１０−０９４０８６号公報
【発明の概要】
【発明が解決しようとする課題】
【０００７】
本発明の目的は、上記課題を対処するため、排気の風切り音を低減して作業環境を改善し得る園芸用バリカンを提供することにある。
【課題を解決するための手段】
【０００８】
上記課題を解決するために、本発明は、後部に作業者が把持するグリップを有した外殻ハウジングと、外殻ハウジングの内部に設けた電動モータと、電動モータの作動により外殻ハウジングの下部に設けたクランク機構を介して相対的に往復動する一対のシャーブレードと、電動モータの作動により回転して外殻ハウジングの外部から吸引した空気を同外殻ハウジングの下部から流出させる冷却ファンと、外殻ハウジング内に組み付けられ、電動モータとともに冷却ファンとクランク機構を内蔵したモータハウジングとを備え、モータハウジングには冷却ファンによって空気を導入する吸気口と空気を排出する排気口とを設け、排気口を外殻ハウジングの周壁との間に隙間を設けた状態で覆うようにした園芸用バリカンであって、外殻ハウジングの周壁の下端部には、下側に排気の通路が遮られることなく下方に開口する開口部を形成して、冷却ファンの作動によって排気口から排出される空気が外殻ハウジングの周壁内面に当たって風向きが変えられ、外殻ハウジングの周壁とモータハウジングの周壁との間を通って開口部から下側に排気の通路が遮られることなく下向きに流出するようにしたことを特徴とする園芸用バリカンを提供するものである。
【０００９】
上記のように構成した園芸用バリカンにおいては、冷却ファンにより排出される空気が外殻ハウジングの周壁とモータハウジングの周壁との間を通って開口部から下側に排気の通路が遮られることなく下向きに流出するので、外殻ハウジングから流出する排気の風切り音が、作業者のいない下方に向かうことにより、作業者の作業環境が改善されるるとともに、モータハウジングの排気口から排出された空気が外殻ハウジングの下端部の開口部に流れやすくなり、排気効率を高くすることができる。
【図面の簡単な説明】
【００１１】
【図１】本発明の園芸用バリカンであるヘッジトリマの第１実施形態の側面図である。
【図２】図１の分解図である。
【図３】図１の前後方向に沿った断面図である。
【図４】図３のＡ−Ａ線における断面図である。
【図５】図４の変形例を示す断面図である。
【図６】第２実施形態のヘッジトリマのＡ−Ａ線における断面図である。
【発明を実施するための最良の形態】
【００１２】
以下、本発明の園芸用バリカンであるヘッジトリマの実施形態を添付図面を参照して説明する。
（第１実施形態）
図１〜図４に示したように、ヘッジトリマ１０は、外殻ハウジング１１の内部に直立して設けた電動モータ２１と、電動モータ２１の作動により外殻ハウジング１１の下部に設けたクランク機構２３を介して相対的に往復動する一対のシャーブレード３１，３２と、電動モータ２１の作動により回転して外殻ハウジング１１の上部から吸引した空気を外殻ハウジング１１の下部から流出させる冷却ファン２２とを備えている。このヘッジトリマ１０においては、クランク機構２３の側部を覆う外殻ハウジング１１の周壁の下端部は下方に開口する開口部１１ｇが形成され、冷却ファン２２により排出される空気が外殻ハウジング１１の周壁下端部内面に沿って開口部１１ｇから下向きに流出するようにした。
【００１３】
図１〜図３に示したように、ヘッジトリマ１０の外殻ハウジング１１は左右二つのパーツ１１ａ、１１ｂとから構成され、外殻ハウジング１１内には電動モータ２１とともに冷却ファン２２とクランク機構２３とを内蔵した内殻となるモータハウジング２０が組み付けられている。外殻ハウジング１１は、後部に作業者が一方の手で把持するグリップ１１ｃが一体的に形成され、前部に作業者が他方の手で把持するフロントグリップ１２が取り付けられている。外殻ハウジング１１の前部にはフロントグリップ１２より前側にチップガード１３が固定されており、チップガード１３は切断した枝葉が作業者に向けて飛散するのを防止するものである。外殻ハウジング１１には上部及び左右の側壁に開口１１ｄ〜１１ｆが形成されており、これら開口１１ｄ〜１１ｆはモータハウジング２０の吸気口２０ａに外気を導入するためのものである。外殻ハウジング１１の中間部より前側の下面には、モータハウジング２０に対してブレードアセンブリ３０の取り付けに用いるとともに、モータハウジング２０の排気口２０ｂから排出された空気を下向きに流出させる開口部１１ｇが形成されている。
【００１４】
図３及び図４に示したように、モータハウジング２０には電動モータ２１とともに冷却ファン２２とクランク機構２３とが収容されている。図２及び図４に示したように、モータハウジング２０には周壁上部に冷却ファン２２による空気の吸気口２０ａと、周壁下部に冷却ファン２２による空気の排気口２０ｂとが設けられている。モータハウジング２０の吸気口２０ａには上下に２段のリブ２０ｃが設けられており、リブ２０ｃは内側が上向きとなるように傾斜している。リブ２０ｃは内側が上向きとなるように傾斜しているので、モータハウジング２０内の駆動音が作業者側でない下向きに流出するようになる。
【００１５】
電動モータ２１はモータハウジング２０内に直立して設けられている。電動モータ２１の駆動軸２１ａには冷却ファン２２が取り付けられている。冷却ファン２２は電動モータ２１の作動による回転により、モータハウジング２０の上部の吸気口２０ａから外気を導入し、導入したモータハウジング２０の上部の空気を電動モータ２１の周囲を通過させ、電動モータ２１の下部にて放射状に噴出してモータハウジング２０の下部の排気口２０ｂから排出するものである。
【００１６】
クランク機構２３は、電動モータ２１の回転駆動を一対のシャーブレード３１，３２の相対的な往復動に変換するものであり、モータハウジング２０の下部に設けられている。クランク機構２３は、電動モータ２１の駆動軸２１ａの先端のピニオンギヤ２１ｂに係合する減速ギヤ２４と、減速ギヤ２４の下面に２本のピン２５，２５により取り付けたクランクカム２６とからなる。クランクカム２６は減速ギヤ２４の回転軸２４ａに対して偏心した２枚の円板２６ａ，２６ｂを上下に一体的に配置したものであり、両円板２６ａ，２６ｂは減速ギヤ２４の回転軸２４ａを挟んで対向する位置、すなわち１８０°の位相差となっている。
【００１７】
モータハウジング２０の下面にはブレードアセンブリ３０が取り付けられている。ブレードアセンブリ３０は互いに上下に重なり合う一対のシャーブレード３１，３２と、これら一対のシャーブレード３１，３２を前後方向に摺動可能に上下両側から挟んで保持するガイドプレート３３，３４とからなる。シャーブレード３１，３２には複数の刃部が櫛状に形成されている。シャーブレード３１，３２の基端部には長円孔３１ａ，３２ａが形成され、クランクカム２６の各円板２６ａ，２６ｂが各長円孔３１ａ，３２ａにその長手方向に沿ってスライド可能に係合されている。両シャーブレード３１，３２は上下のガイドプレート３３，３４により狭持された状態で、下側のガイドプレート３４の基端部がモータハウジング２０の下面に着脱可能に固定されている。
【００１８】
図４に示したように、モータハウジング２０を外殻ハウジング１１に組み付けた状態で、モータハウジング２０の吸気口２０ａ及び排気口２０ｂは外殻ハウジング１１の周壁に隙間を設けて覆われている。また、外殻ハウジング１１の周壁内面にはモータハウジング２０の排気口２０ｂから噴出する空気が当たる位置にスポンジ材よりなる吸音材１４が貼付されている。吸音材１４はモータハウジング２０の排気口２０ｂから噴出した空気が外殻ハウジング１１の周壁内面に当たって下方に風向きが変わることに起因した騒音の発生を抑制するものである。外殻ハウジング１１の周壁下端部は、下部にクランク機構２３を内蔵したモータハウジング２０の側面下端部を覆っている。外殻ハウジング１１の周壁下端部の開口部１１ｇはモータハウジング２０の下端部との間がその下側に排気の通路が遮られることなく下方に開口している。
【００１９】
上記のように構成したヘッジトリマ１０の作動について説明する。ヘッジトリマ１０において、電動モータ２１を作動させると、クランク機構２３を介して一対のシャーブレード３１，３２が往復動するとともに、冷却ファン２２が回転する。詳述すると、電動モータ２１の回転駆動により、駆動軸２１ａの先端のピニオンギヤ２１ｂに係合した減速ギヤ２４が回転し、減速ギヤ２４に１８０°の位相差をもって取り付けたクランクカム２６の各円板２６ａ，２６ｂは減速ギヤ２４の回転軸２４ａに対して偏心して回転する。一対のシャーブレード３１，３２は基端部に形成した各長円孔３１ａ，３２ａに係合したクランクカム２６の各円板２６ａ，２６ｂが回転軸２４ａに対して偏心的に回転することで相対的に往復動する。
【００２０】
また、電動モータ２１の作動によって冷却ファン２２が回転すると、モータハウジング２０の上部の空気が冷却ファン２２によって下部に吸引される。その結果、図４の矢印によって空気の流れを示したように、外殻ハウジング１１外の空気は外殻ハウジング１１の上部及び左右の側壁の開口１１ｄ〜１１ｆを通ってモータハウジング２０の吸気口２０ａからモータハウジング２０内に導入される。モータハウジング２０の上部の空気は電動モータ２１の周囲を通過して電動モータ２１を冷却し、冷却ファン２２によりモータハウジング２０の下部の排気口２０ｂから水平方向に放射状に噴出して排出される。モータハウジング２０の下部の排気口２０ｂから噴出した空気は外殻ハウジング１１の周壁内面に当たって下方に風向きが変わり、モータハウジング２０の周壁下端部と外殻ハウジング１１の周壁下端部との間の排気通路を通って外殻ハウジング１１の下端部の開口部１１ｇから下向きに流出する。
【００２１】
このとき、外殻ハウジング１１の周壁内面には冷却ファン２２の排気口２０ｂから噴出した空気が当たる部分に吸音材１４が設けられているので、冷却ファン２２から噴出した空気が外殻ハウジング１１の周壁内面に当たって下方に風向きが変わることに起因した騒音を抑制することができる。また、排気口２０ｂから排出された排気はモータハウジング２０の周壁下端部と外殻ハウジング１１の周壁下端部とを通って外殻ハウジング１１の下端部の開口部１１ｇから流出するので効率よく流出するようになる。
【００２２】
また、外殻ハウジング１１の周壁下端部の開口部１１ｇはモータハウジング２０の下端部との間が下側に排気の通路が遮られることなく下方に開口しているので、冷却ファン２２により外殻ハウジング１１外に排出される空気はヘッジトリマ１０を把持して使用する作業者側となる側方に流出することなく、刈り込みをする生け垣側となる直下に流出するようになる。これにより、外殻ハウジング１１から流出する排気の風切り音が、作業者のいない下方に向かうことにより、作業者の作業環境が改善される。
【００２３】
この実施形態において、外殻ハウジング１１の周壁下端部の開口部１１ｇは、外殻ハウジング１１の周壁の下縁に囲まれた部分により形成されている。しかし、本発明はこれに限られるものでなく、図５に示したように、外殻ハウジング１１の周壁下端部が底面の少なくとも一部を覆うようにし、外殻ハウジング１１の周壁下端部に下方に開口する排気用の開口部１１ｇを形成してもよい。
【００２４】
この実施形態においては、外殻ハウジング１１の周壁下端部はモータハウジング２０の下部に設けたクランク機構２３の側部の下端まで覆っているので、クランク機構２３の作動音が作業者に伝達されにくくなっている。しかし、本発明はこのような実施形態に限られるものでなく、クランク機構２３の側部の一部を覆うだけであっても、外殻ハウジング１１の周壁下端部の開口部１１ｇが下側に排気の通路が遮られることなく下方に開口していれば、上述したのと同様の作用効果を得ることができる。
【００２５】
この実施形態においては、外殻ハウジング１１は左右のパーツ１１ａ，１１ｂよりなるが、本発明はこれに限られるものでなく、１つまたは３つ以上のパーツにより外殻ハウジング１１を構成するようにしてもよい。
【００２６】
（第２実施形態）
第２実施形態のヘッジトリマ１０Ａの主な特徴は、第１実施形態のように外殻ハウジング１１内に電動モータ２１、冷却ファン２２及びクランク機構２３をモータハウジング２０を介して組み付けた２重のハウジングでなく、図６に示したように、外殻ハウジング１１Ａ内に電動モータ２１とともに冷却ファン２２とクランク機構２３とを直接組み付けたものである。この第２実施形態のヘッジトリマ１０Ａにおいては、外殻ハウジング１１Ａの周壁上部に冷却ファン２２による吸気口１１Ａｈを設け、外殻ハウジング１１Ａの周壁下端部に冷却ファン２２による排気を流出させる開口部１１Ａｇを設けている。外殻ハウジング１１Ａの周壁下端部の開口部１１ｇは、上述した第１実施形態と同様に、下側に排気の通路が遮られることなく下方に開口している。
【００２７】
このヘッジトリマ１０Ａにおいては、電動モータ２１の作動によって冷却ファン２２が回転すると、外殻ハウジング１１Ａの上部の空気が冷却ファン２２によって下部に吸引される。その結果、外殻ハウジング１１外の空気は吸気口１１Ａｈから外殻ハウジング１１Ａ内に導入され、電動モータ２１の周囲を通過して電動モータ２１を冷却し、冷却ファン２２によって外殻ハウジング１１Ａの周壁に向けて噴出される。冷却ファン２２により噴出した空気は外殻ハウジング１１Ａの周壁に当たって下方に風向きが変わり、外殻ハウジング１１Ａの周壁下端部の開口部１１Ａｇから下向きに流出する。このようにしたときでも、上述した第１実施形態と同様の作用効果を得ることができる。
【００２８】
上述した各実施形態は生け垣の枝葉を切断するヘッジトリマについて説明したが、本発明の園芸用バリカンは、クランク機構を介して一対のシャーブレードが左右方向に往復動する芝刈バリカンにも適用される。
【００２９】
また、上述の各実施形態では、クランク機構によりシャーブレードの両方が往復動する例を示したが、一方の刃が固定されており、他方の刃がクランク機構により駆動することで、相対的にシャーブレードが往復動する片刃駆動のヘッジトリマであってもよい。
【符号の説明】
【００３０】
１０，１０Ａ…ヘッジトリマ（園芸用バリカン）、１１，１１Ａ…外殻ハウジング、１１ｇ，１１Ａｇ…開口部、２０…モータハウジング、２０ｂ…排気口、２１…電動モータ、２２…冷却ファン、２３…クランク機構、３１，３２…シャーブレード。
【図１】
0006038488.tif 000002
【図２】
0006038488.tif 000003
【図３】
0006038488.tif 000004
【図４】
0006038488.tif 000005
【図５】
0006038488.tif 000006
【図６】
0006038488.tif 000007